(57)【要約】【課題】印刷イメージを確認できる携帯電話と、携帯電話からのデータを印刷する印刷装置とからなる印刷システムの提供を目的とする。【解決手段】携帯電話は、所定の形式のデータを組み込んで印刷する書式である印刷フォーマットを無線通信で印刷装置から取得し、印刷フォーマットに印刷を所望するデータを組み込んだ印刷イメージを表示する。その表示に基づいて、印刷する印刷フォーマットを確定すると共に、データの調整を行ない、調整したデータを無線通信で印刷装置に送信する。印刷装置は、印刷フォーマットを記憶しており、携帯電話からの要求に基づいて、該当する印刷フォーマットを読み出し、それを無線通信で携帯電話に送信できる。印刷装置は、携帯電話で確定された印刷フォーマットに送信されたデータを組み込んで印刷を実行する。【選択図】図１
2010061687.tif 000002
【特許請求の範囲】
【請求項１】
所定の形式のデータを記憶可能であり、該データを表示する表示部を備えた携帯電話と、該携帯電話からのデータの印刷を行なう印刷装置とからなる印刷システムであって、
前記携帯電話は、
近距離無線通信を行なう無線通信手段と、
前記データを組み込んで印刷する書式である印刷フォーマットの少なくとも１つを、前記無線通信手段を用いて、前記印刷装置から取得するフォーマット取得手段と、
前記印刷フォーマットに印刷を所望する前記データを組み込んだ印刷イメージを、前記表示部に表示する印刷イメージ表示手段と、
前記表示された印刷イメージに基づいて、印刷する印刷フォーマットを確定すると共に、前記データの調整を行なう印刷イメージ調整手段と、
前記調整したデータを、前記無線通信手段を用いて、前記印刷装置に送信する送信制御手段とを備え、
前記印刷装置は、
前記携帯電話と通信する無線通信手段と、
前記印刷フォーマットを記憶する記憶手段と、
前記携帯電話からの要求に基づいて、前記記憶手段から該当する１つの印刷フォーマットを読み出し、該印刷フォーマットを前記無線通信手段を用いて前記携帯電話に送信するフォーマット管理手段と、
前記携帯電話で確定された前記印刷フォーマットに該携帯電話から送信された前記データを組み込んで印刷用のデータを作成する印刷データ作成手段と、
前記印刷データを印刷可能に展開して印刷を実行する印刷制御手段とを備えた
印刷システム。
【請求項２】
請求項１に記載の印刷システムであって、
前記携帯電話の送信制御手段は、前記調整したデータに加えて、前記確定された印刷フォーマットを特定する情報を、前記印刷装置に送信する手段であり、
前記印刷装置のフォーマット管理手段は、前記印刷フォーマットを特定する情報を用いて前記記憶手段から該当する１つの印刷フォーマットを読み出す手段である印刷システム。
【請求項３】
請求項１または２に記載の印刷システムであって、
前記携帯電話のフォーマット取得手段は、前記印刷装置に前記印刷フォーマットの送信を要求するフォーマット要求手段と、
前記要求した印刷フォーマットを記憶するフォーマット記憶手段とを備え、
前記要求した印刷フォーマットが、前記フォーマット記憶手段に記憶されたものである場合には、取得に替えて該記憶された印刷フォーマットを用いる印刷システム。
【請求項４】
請求項１ないし３のいずれかに記載の印刷システムであって、
前記無線通信手段は、赤外線を用いた無線通信手段である印刷システム。
【請求項５】
請求項１ないし４のいずれかに記載の印刷システムであって、
前記所定の形式のデータは、少なくとも標準化された電話帳データ，住所録データ，メモデータ，メッセージデータのいずれかの形式である印刷システム。
【請求項６】
請求項１ないし５のいずれかに記載の印刷システムであって、
前記印刷フォーマットは、ｘＨＴＭＬ形式のマークアップ言語で記述された書式である印刷システム。
【請求項７】
携帯電話から送信されるデータを所定の印刷フォーマットに従って印刷する印刷装置であって、
前記携帯電話と通信する無線通信手段と、
前記印刷フォーマットを記憶する記憶手段と、
前記携帯電話からの要求に基づいて、前記記憶手段から該当する１つの印刷フォーマットを読み出し、該印刷フォーマットを前記無線通信手段を用いて前記携帯電話に送信するフォーマット管理手段と、
前記携帯電話で確定された前記印刷フォーマットに該携帯電話から送信された前記データを組み込んで印刷用のデータを作成する印刷データ作成手段と、
前記印刷データを印刷可能に展開して印刷を実行する印刷制御手段と
を備えた印刷装置。
【請求項８】
請求項７に記載の印刷装置であって、
前記フォーマット管理手段は、前記携帯電話への１つの印刷フォーマットの送信に先立って、該携帯電話からの要求に応じて、前記記憶手段に記憶された複数の印刷フォーマットから一を選択可能な一覧情報を該携帯電話に送信する手段を備えた印刷装置。
【請求項９】
請求項７または８に記載の印刷装置であって、
前記印刷フォーマットは、ｘＨＴＭＬ形式のマークアップ言語で記述された書式である印刷装置。
【請求項１０】
請求項９に記載の印刷装置であって、
前記印刷データ作成手段は、前記ｘＨＴＭＬ形式のマークアップ言語で記述された印刷フォーマットに、前記携帯電話から送信される標準化された電話帳データ，住所録データ，メモデータ，メッセージデータのいずれかの形式のデータを組み込んで、印刷用のデータを生成する手段である印刷装置。
【請求項１１】
所定の形式のデータを記憶可能であり、該データを表示する表示部を備え、該データを印刷装置に出力する携帯電話であって、
近距離無線通信を行なう無線通信手段と、
前記データを組み込んで印刷する書式である印刷フォーマットの少なくとも１つを、前記無線通信手段を用いて、前記印刷装置から取得するフォーマット取得手段と、
前記印刷フォーマットに印刷を所望する前記データを組み込んだ印刷イメージを、前記表示部に表示する印刷イメージ表示手段と、
前記表示された印刷イメージに基づいて、印刷する印刷フォーマットを確定すると共に、前記データの調整を行なう印刷イメージ調整手段と、
前記調整したデータを、前記無線通信手段を用いて、前記印刷装置に送信する送信制御手段と
を備えた携帯電話。
【請求項１２】
所定の形式のデータを記憶可能であり、該データを表示する表示部を備えた携帯電話と、該携帯電話からのデータの印刷を行なう印刷装置とからなる印刷システムの印刷方法であって、
前記携帯電話は、
前記データを組み込んで印刷する書式である印刷フォーマットの少なくとも１つを、無線通信を用いて、前記印刷装置から取得し、
前記印刷フォーマットに印刷を所望する前記データを組み込んだ印刷イメージを、前記表示部に表示し、
前記表示された印刷イメージに基づいて、印刷する印刷フォーマットを確定すると共に、前記データの調整を行ない、
前記調整したデータを、無線通信を用いて、前記印刷装置に送信し、
前記印刷装置は、
前記印刷フォーマットを記憶し、
前記携帯電話からの要求に基づいて、前記記憶した印刷フォーマットの中から該当する１つの印刷フォーマットを読み出し、該印刷フォーマットを無線通信を用いて前記携帯電話に送信し、
前記携帯電話で確定された前記印刷フォーマットに該携帯電話から送信された前記データを組み込んで印刷用のデータを作成し、
前記印刷データを印刷可能に展開して印刷を実行する
印刷システムの印刷方法。
【発明の詳細な説明】
【技術分野】
【０００１】
本発明は、無線通信機能を備えた携帯電話、この携帯電話からのデータを印刷する印刷装置からなる印刷システムおよびその印刷方法に関するものである。
【背景技術】
【０００２】
従来から、デジタルスチルカメラや携帯電話などからの画像データ等を、パーソナルコンピュータを介さずに直接的に印刷可能な印刷装置がある。この印刷装置は、入力した画像データを印刷可能なビットマップデータに展開するプリンタドライバを内蔵し、印刷装置側で設定した印刷条件にしたがって印刷を実行している。この印刷装置は、印刷用紙のサイズや印刷枚数や印刷のフォーマット等の印刷条件を設定する操作パネルを有し、ユーザが予め印刷装置に記憶された印刷条件の中から一を選択することで、その条件にしたがった印刷を実行していた（例えば、特許文献１参照）。
【先行技術文献】
【特許文献】
【０００３】
【特許文献１】特開２００３−２００６３７号公報
【０００４】
例えば、こうした印刷装置と携帯電話とから構成される印刷システムにおいては、携帯電話の電話帳データを印刷装置に送信し、印刷装置に記憶されている所定のフォーマットを選択することで、氏名、電話番号等を所定の形式で記載した一覧表の印刷や、電話帳データから選択した一のデータを予め定めたフォーマットで印刷することが可能である。
【発明の概要】
【発明が解決しようとする課題】
【０００５】
しかしながら、こうした印刷システムでは、携帯電話は印刷を所望するデータを印刷装置に送信するのみで、印刷結果を予め確認できないという問題があった。つまり、選択した印刷フォーマットにデータを組み込んだ印刷イメージを表示できないため、例えば、印刷フォーマットの枠からの文字のはみ出しや、改行箇所の不具合などに関して、印刷結果を得るまでユーザは確認できなかった。
【課題を解決するための手段】
【０００６】
本発明の印刷システムは、上記課題の少なくとも一部を解決するため、以下の手法を採った。すなわち、所定の形式のデータを記憶可能であり、該データを表示する表示部を備えた携帯電話と、該携帯電話からのデータの印刷を行なう印刷装置とからなる印刷システムであって、前記携帯電話は、近距離無線通信を行なう無線通信手段と、前記データを組み込んで印刷する書式である印刷フォーマットの少なくとも１つを、前記無線通信手段を用いて、前記印刷装置から取得するフォーマット取得手段と、前記印刷フォーマットに印刷を所望する前記データを組み込んだ印刷イメージを、前記表示部に表示する印刷イメージ表示手段と、前記表示された印刷イメージに基づいて、印刷する印刷フォーマットを確定すると共に、前記データの調整を行なう印刷イメージ調整手段と、前記調整したデータを、前記無線通信手段を用いて、前記印刷装置に送信する送信制御手段とを備え、前記印刷装置は、前記携帯電話と通信する無線通信手段と、前記印刷フォーマットを記憶する記憶手段と、前記携帯電話からの要求に基づいて、前記記憶手段から該当する１つの印刷フォーマットを読み出し、該印刷フォーマットを前記無線通信手段を用いて前記携帯電話に送信するフォーマット管理手段と、前記携帯電話で確定された前記印刷フォーマットに該携帯電話から送信された前記データを組み込んで印刷用のデータを作成する印刷データ作成手段と、前記印刷データを印刷可能に展開して印刷を実行する印刷制御手段とを備えたことを要旨としている。
【０００７】
また、本発明の印刷システムの印刷方法は、所定の形式のデータを記憶可能であり、該データを表示する表示部を備えた携帯電話と、該携帯電話からのデータの印刷を行なう印刷装置とからなる印刷システムの印刷方法であって、前記携帯電話は、前記データを組み込んで印刷する書式である印刷フォーマットの少なくとも１つを、無線通信を用いて、前記印刷装置から取得し、前記印刷フォーマットに印刷を所望する前記データを組み込んだ印刷イメージを、前記表示部に表示し、前記表示された印刷イメージに基づいて、印刷する印刷フォーマットを確定すると共に、前記データの調整を行ない、前記調整したデータを、無線通信を用いて、前記印刷装置に送信し、前記印刷装置は、前記印刷フォーマットを記憶し、前記携帯電話からの要求に基づいて、前記記憶した印刷フォーマットの中から該当する１つの印刷フォーマットを読み出し、該印刷フォーマットを無線通信を用いて前記携帯電話に送信し、前記携帯電話で確定された前記印刷フォーマットに該携帯電話から送信された前記データを組み込んで印刷用のデータを作成し、前記印刷データを印刷可能に展開して印刷を実行することを要旨としている。
【０００８】
本発明の印刷システムおよびその印刷方法によれば、携帯電話は、印刷装置から取得した印刷フォーマットに所定の形式のデータを組み込んだ印刷イメージを表示する。表示された印刷イメージに基づいて、印刷する印刷フォーマットが確定され、データが調整される。印刷装置は、携帯電話から送信されたデータを携帯電話で確定された印刷フォーマットに組み込んで印刷用のデータを作成し、印刷を実行する。この印刷システムでは、携帯電話が印刷装置に印刷を所望するデータを送信する前、つまり、印刷結果を出力する前に、携帯電話上で印刷イメージを確認し、調整することができる。したがって、誤った印刷フォーマットの選択や文字のはみ出しなどの無駄な印刷をすることがない。
【０００９】
上記の構成を有する印刷システムにおいて、携帯電話の送信制御手段は、前記調整したデータに加えて、前記確定された印刷フォーマットを特定する情報を、前記印刷装置に送信する手段であり、前記印刷装置のフォーマット管理手段は、前記印刷フォーマットを特定する情報を用いて前記記憶手段から該当する１つの印刷フォーマットを読み出す手段であるものとしても良い。
【００１０】
かかる印刷システムによれば、携帯電話は印刷装置に印刷フォーマットを特定する情報を送信する。印刷装置は、この情報に基づいて該当する印刷フォーマットを読み出し印刷を実行する。この印刷システムでは、携帯電話から印刷装置へ送信されるデータに印刷フォーマット自体を含んでいない。したがって、携帯電話から送信されるデータ量を低減することができる。また、印刷装置が記憶する印刷フォーマットは、１つであるものとしても良い。この場合には、携帯電話は、印刷フォーマットを特定する情報は送信しない。
【００１１】
上記の構成を有する印刷システムにおいて、携帯電話のフォーマット取得手段は、前記印刷装置に前記印刷フォーマットの送信を要求するフォーマット要求手段と、前記要求した印刷フォーマットを記憶するフォーマット記憶手段とを備え、前記要求した印刷フォーマットが、前記フォーマット記憶手段に記憶されたものである場合には、取得に替えて該記憶された印刷フォーマットを用いるものとしても良い。
【００１２】
かかる印刷システムによれば、携帯電話は、印刷装置から送信された印刷フォーマットを記憶しておき、印刷装置に要求した印刷フォーマットが以前に記憶したものである場合には、印刷フォーマット自体の送信要求は行なわず、携帯電話内部に記憶した印刷フォーマットを読み出して使用する。したがって、携帯電話と印刷装置との間でやり取りするデータ量を低減し、通信時間を短縮することができる。
【００１３】
上記の構成を有する印刷システムの無線通信手段は、赤外線を用いた無線通信手段であるものとしても良い。かかる印刷システムによれば、無線通信に指向性のある赤外線を使用するため、携帯電話，印刷装置の双方の特定が容易となる。
【００１４】
上記の構成を有する印刷システムにおいて、所定の形式のデータは、少なくとも標準化された電話帳データ，住所録データ，メモデータ，メッセージデータのいずれかの形式とすることができる。また、印刷フォーマットは、ｘＨＴＭＬ形式のマークアップ言語で記述された書式とすることができる。かかる印刷システムによれば、標準化されたデータ，所定形式の印刷フォーマットを用いることで、印刷フォーマットへのデータの組み込みを容易となる。つまり、標準化された形式であるため、汎用性が高く、データ形式さえ同じであれば印刷フォーマットに組み込むことが可能となる。
【００１５】
本発明の印刷装置は、携帯電話から送信されるデータを所定の印刷フォーマットに従って印刷する印刷装置であって、前記携帯電話と通信する無線通信手段と、前記印刷フォーマットを記憶する記憶手段と、前記携帯電話からの要求に基づいて、前記記憶手段から該当する１つの印刷フォーマットを読み出し、該印刷フォーマットを前記無線通信手段を用いて前記携帯電話に送信するフォーマット管理手段と、前記携帯電話で確定された前記印刷フォーマットに該携帯電話から送信された前記データを組み込んで印刷用のデータを作成する印刷データ作成手段と、前記印刷データを印刷可能に展開して印刷を実行する印刷制御手段とを備えたことを要旨としている。
【００１６】
本発明の印刷装置によれば、印刷装置は、記憶している印刷フォーマットの中から、携帯電話にて確定された一の印刷フォーマットを読み出し、その印刷フォーマットに携帯電話からのデータを組み込んで印刷する。印刷フォーマットは、印刷装置内に記憶されているため、印刷装置が印刷フォーマットを受信することはない。したがって、印刷装置のデータの受信にかかる時間が短縮できる。また、印刷装置は、印刷用のデータを作成し、展開する機能を備えるため、携帯電話から所定の形式のデータを受信することで容易に印刷を実行できる。
【００１７】
上記の構成を有する印刷装置のフォーマット管理手段は、前記携帯電話への１つの印刷フォーマットの送信に先立って、該携帯電話からの要求に応じて、前記記憶手段に記憶された複数の印刷フォーマットから一を選択可能な一覧情報を該携帯電話に送信する手段を備えるものとしても良い。かかる印刷装置によれば、携帯電話に送信された一覧情報に基づいて、複数の印刷フォーマットの中から、一の印刷フォーマットが確定される。したがって、複数の印刷フォーマットを繰り返し携帯電話に送信することがなく、携帯電話との間で、効率的な通信を行なうことができる。
【００１８】
上記の構成を有する印刷装置の所有する印刷フォーマットは、ｘＨＴＭＬ形式のマークアップ言語で記述された書式であるものとしても良い。また、印刷データ作成手段は、ｘＨＴＭＬ形式のマークアップ言語で記述された印刷フォーマットに、前記携帯電話から送信される標準化された電話帳データ，住所録データ，メモデータ，メッセージデータのいずれかの形式のデータを組み込んで、印刷用のデータを生成する手段であるものとしても良い。
【００１９】
本発明の携帯電話は、所定の形式のデータを記憶可能であり、該データを表示する表示部を備え、該データを印刷装置に出力する携帯電話であって、近距離無線通信を行なう無線通信手段と、前記データを組み込んで印刷する書式である印刷フォーマットの少なくとも１つを、前記無線通信手段を用いて、前記印刷装置から取得するフォーマット取得手段と、前記印刷フォーマットに印刷を所望する前記データを組み込んだ印刷イメージを、前記表示部に表示する印刷イメージ表示手段と、前記表示された印刷イメージに基づいて、印刷する印刷フォーマットを確定すると共に、前記データの調整を行なう印刷イメージ調整手段と、前記調整したデータを、前記無線通信手段を用いて、前記印刷装置に送信する送信制御手段とを備えたことを要旨としている。
【００２０】
本発明の携帯電話によれば、携帯電話は、印刷装置から取得した印刷フォーマットに所定のデータを組み込んで印刷イメージを表示する。ユーザは、その表示した印刷イメージに基づいて、データの調整を行なうことができる。つまり、実際に印刷されるイメージを確認することができるため、様々な印刷フォーマットとデータとの相性を判断することができる。したがって、所望する一を決定することができ、ユーザニーズに対応した装置を構成することができる。
【図面の簡単な説明】
【００２１】
【図１】本発明の印刷システムの一例を示す概略構成図である。
【図２】携帯電話の概略構成を示したハード構成図である。
【図３】カラープリンタの概略構成を示したハード構成図である。
【図４】携帯電話で実行される名刺作成処理のフローチャートである。
【図５】名刺作成処理のサブルーチンである印刷フォーマット更新処理のフローチャートである。
【図６】カラープリンタで実行される名刺印刷処理のフローチャートである。
【図７】名刺作成処理の選択画面の一例である。
【発明を実施するための形態】
【００２２】
以下、本発明を適用した無線通信機能を備えた携帯電話および印刷装置、これらの機器からなる印刷システムの一実施例について説明する。図１は、本発明の実施例である印刷システムの一例を示す概略構成図である。図１に示すように、この印刷システムは、無線通信機能を備えた携帯電話１０、携帯電話１０から無線通信で所定のデータを受信し、その印刷を実行するカラープリンタ３０から構成されている。
【００２３】
携帯電話１０は、通常の通話機能，メール機能，インターネットへの接続機能などに加えて、赤外線を用いた無線通信機能を備えており、この赤外線無線通信により、カラープリンタ３０との間で所定の形式のデータのやり取りをしている。さらに、この携帯電話１０は、ｘＨＴＭＬ形式のマークアップ言語に対応する機能を備え、例えば、この言語で記載されたホームページの画面をインターネットを介してダウンロードし、表示することができる。
【００２４】
本実施例の印刷システムにおいて、携帯電話１０がカラープリンタ３０とやり取りする所定形式のデータは、ｘＨＴＭＬ形式で記載された印刷用のフォーマット（以下、印刷フォーマットと呼ぶ）と、氏名，住所，電話番号といった書誌的情報を格納したファイル（以下、電話帳データと呼ぶ）とである。携帯電話１０は、無線通信を用いて、印刷フォーマットをカラープリンタ３０から受信し、電話帳データをカラープリンタ３０へ送信する。
【００２５】
この携帯電話１０が受信する印刷フォーマットは、住所，氏名，電話番号等を所定位置に配置して表示する印刷書式である。カラープリンタ３０は、この印刷フォーマットに携帯電話１０から受け取った電話帳データを組み込むことで、名刺風のカードを印刷する。
【００２６】
この電話帳データは、ｖＣａｒｄ形式で記述したファイルであり、携帯電話１０の内部のメモリに保存されている。なお、携帯電話１０は、ｖＣａｒｄ形式に加えて、ｖＣａｌｅｎｄｅｒ，ｖＮｏｔｅ，ｖＭｅｓｓａｇｅといった形式のファイルも所有している。こうした形式のファイルを用いることで、例えば、カラープリンタ３０以外の外部機器である別の携帯電話，ＰＤＡ等との間で、機種に影響を受けずに容易に情報交換を行なうことができる。
【００２７】
この携帯電話１０の概略構成を図２に示す。図示するように、携帯電話１０は、アンテナ１１、アンテナ１１からのアナログ信号をデジタル信号に変換する無線回路１２、通常の通話に用いるマイク１３，スピーカ１６、オンフックキー２６や文字入力も行なえるテンキー２７に加え、上下左右の４方向へカーソルを操作する方向キー２８，実行キー２９等を備えたキー入力部１５、通話の状態やダウンロードしたホームページの画面等を表示する液晶パネル１７、写真を撮影するＣＣＤ素子を備えたカメラ１８、電話番号，メールに加え、電話帳データ，印刷フォーマット等を記憶するメモリ１４、赤外線の通信を行なう発光ダイオード，フォトダイオードを備えた赤外線インターフェイス１９、これらの動作を制御するＣＰＵ２１，ＲＯＭ２２，ＲＡＭ２３を備えた制御部２０等から構成されている。
【００２８】
制御部２０は、通常の通話、インターネット回線への接続やメールの送受信を処理するのに加え、所定のｘＨＴＭＬ形式の印刷フォーマットにｖＣａｒｄ形式の電話帳データを組み込んで解析し、実際に印刷されるイメージ（以下、印刷イメージと呼ぶ）を表示する処理を行なっている。印刷イメージに関する処理のプログラムは、制御部２０のＲＯＭ２２に記憶されており、キー入力部１５を介してユーザが処理開始の操作を行なうことにより実行される。この処理に関しては、後に詳しく説明する。また、制御部２０は、キー入力部１５の操作により印刷イメージの表示に用いた電話帳データを、赤外線インターフェイス１９を介してカラープリンタ３０に送信する。赤外線インターフェイス１９で使用している通信は、ＩｒＤＡ（Infrared  Data  Association）規格の赤外線通信である。この種の赤外線通信では、波長850nm〜900nmの赤外線を用いて情報をやり取りしている。
【００２９】
こうした携帯電話１０からの電話帳データを受信するカラープリンタ３０は、デジタルスチルカメラ等の画像データを記憶するメモリカードを直接的に接続して印刷することが可能なインクジェット方式のプリンタである。このカラープリンタ３０は、印字や印刷用紙等の設定をプリンタ側で行なうことで、コンピュータを介すことなく所定のデータの印刷が可能である。
【００３０】
このカラープリンタ３０の概略構成を図３に示す。図示するように、カラープリンタ３０は、用紙にインクを吐出する印字ヘッド３１を装着したキャリッジ３２、キャリッジ３２を主走査方向に駆動するキャリッジモータ３３、用紙を搬送する紙送りモータ３４、印字ヘッド３１やキャリッジモータ３３，紙送りモータ３４の動作を制御するＣＰＵ，ＲＯＭ，ＲＡＭを備えた制御回路４５、ｖＣｒａｄ形式の電話帳データ，ｘＨＴＭＬ形式の印刷フォーマットを解析し印刷用のドットに展開する画像処理回路４６等から構成されている。
【００３１】
キャリッジ３２には、シアン，マゼンタ，イエロの３色のカラーインクと黒インクとが収納されたインクカートリッジ４０が装着されており、これらのインクを印字ヘッド３１から用紙へ吐出することで微小なドットを形成してカラー印刷を行なっている。
【００３２】
制御回路４５は、カラープリンタ３０の印刷の設定をする操作パネル３８、デジタルスチルカメラのメモリカードを装着するカードスロット３５、赤外線の通信を行なう発光ダイオード、フォトダイオードを備え、ＩｒＤＡ規格に準拠した赤外線インターフェイス３７、パーソナルコンピュータなどの外部機器と接続するためのＵＳＢ端子３６、複数の印刷フォーマットを記憶するメモリ４７等と電気的に接続している。制御回路４５は、赤外線インターフェイス３７を介して受信した携帯電話１０からの電話帳データを画像処理回路４６に出力する。
【００３３】
電話帳データを入力した画像処理回路４６は、メモリ４７から読み込んだ所定の印刷フォーマットに電話帳データを組み込んで印刷用に展開し、制御回路４５に出力する。制御回路４５では、展開されたデータに基づいて、各種モータなどの制御を行なう。
【００３４】
以上のハード構成を有する各機器は、図１に示した印刷システムを構成し、電話帳データの名刺風の印刷を実行する。こうした印刷システムにおいて、携帯電話１０側で、印刷を所望する印刷フォーマット，電話帳データを選択し、その電話帳データをカラープリンタ３０に出力する処理（以下、名刺作成処理と呼ぶ）と、電話帳データを入力したカラープリンタ３０側で、印刷を実行する処理（以下、名刺印刷処理と呼ぶ）とについて説明する。図４は、本実施例の名刺作成処理のフローチャートを、図５は、そのサブルーチンである印刷フォーマット更新処理のフローチャートを示している。また、図６は、本実施例の名刺印刷処理のフローチャートである。
【００３５】
携帯電話１０には、メール，電話帳，インターネット９０への接続，表示機能の設定，プログラムの実行などの種々の機能を選択するメニュー画面があり、ユーザは、このメニュー画面から、プログラムの実行、「名刺作成」を選択する。携帯電話１０のＣＰＵ２１は、ユーザのキー操作によりＲＯＭ２２に記憶された実行プログラムを読み出し、図４に示す処理を開始する。
【００３６】
名刺作成処理を開始すると、携帯電話１０は、液晶パネル１７に電話帳データの一覧を表示する（ステップＳ４００）。具体的には、図７（ａ）に示すように、予めメモリ１４に記憶されている電話帳データの「氏名」の一覧を液晶パネル１７に表示する。ユーザは、方向キー２８を用いて液晶パネル１７上のカーソルを操作し、印刷を所望する「氏名」にカーソルを合わせて実行キー２９を操作する。携帯電話１０は、ユーザの実行キー２９操作を受けて、選択された「氏名」に対応する電話帳データの中身（住所，氏名，電話番号など）を液晶パネル１７に表示する。こうしたユーザ操作により、一覧の中から一の電話帳データが選択される。
【００３７】
印刷する対象（電話帳データ）を決定した後、そのデータの印刷フォーマットを選択する処理を行なう（ステップＳ４１０）。この処理は、例えば図１に示したように、「住所」，「氏名」，「電話番号」の配置やデザインが異なる複数の印刷フォーマットＦ１〜Ｆｎから、所望する印刷フォーマットを選択する処理である。携帯電話１０は、この選択処理に移行すると、選択肢を表示する印刷フォーマット更新処理を実行する。なお、図５（ａ）には、携帯電話１０で実行する処理を、（ｂ）にはカラープリンタ３０で実行する処理を示している。
【００３８】
携帯電話１０は、図５に示した印刷フォーマット更新処理を開始すると、赤外線インターフェイス１９を介して、カラープリンタ３０が保有する印刷フォーマットの情報の送信を要求する指令（要求コマンド）を、カラープリンタ３０に送信する（ステップＳ５００）。
【００３９】
カラープリンタ３０は、電源投入後、ＲＡＭ内に設けた受信バッファのデータの有無を確認している（ステップＳ５３０）。つまり、ステップＳ５３０にて、受信バッファに受信データが無いと判断した場合には、所定のタイミングでこのステップを繰り返している。この状態のカラープリンタ３０へ携帯電話１０からの要求コマンドが送信されると、カラープリンタ３０は、受信バッファにデータ有りと判断して、メモリ４７内に所有する複数の印刷フォーマットの一覧情報を携帯電話１０へ送信する（ステップＳ５３５）。送信後、携帯電話１０からの次のコマンドがあるまで、受信バッファのデータの有無の確認処理を、所定のタイミングで繰り返す（ステップＳ５４０）。
【００４０】
カラープリンタ３０からの一覧情報を受信した携帯電話１０は、その一覧を液晶パネル１７に表示する。この一覧は、図７（ｂ）に示すように印刷フォーマットをサムネイル表示したものである。ユーザは、方向キー２８，実行キー２９を操作して、このサムネイル表示から所望する印刷フォーマットを選択する。携帯電話１０は、この操作により選択された印刷フォーマットが携帯電話１０のメモリ１４内に記憶してあるものか否かの判断を行なう（ステップＳ５０５）。なお、送信に対応した受信の処理は省略してある。
【００４１】
この判断は、選択された印刷フォーマットを特定する情報に基づいて行なわれる。カラープリンタ３０のメモリ４７に記憶された印刷フォーマットには、その印刷フォーマットを特定する番号が付されている。カラープリンタ３０は、サムネイル画像を送信する際、この特定番号を付加して送信している。携帯電話１０は、選択されたサムネイル画像に付加された特定番号（以下、選択された印刷フォーマットの特定番号を特に、選択番号と呼ぶ）と、携帯電話１０のメモリ１４内の特定番号とを比較する処理を行なっている。
【００４２】
例えば、初めて名刺作成処理を行なう場合や、以前、使用した印刷フォーマットを使用しない場合には、選択番号に対応する印刷フォーマットは、携帯電話１０のメモリ１４内に存在しない。この場合、携帯電話１０は、カラープリンタ３０に選択番号に対応する印刷フォーマット（つまり、一覧用ではなく完全なデータ）の送信を要求する（ステップＳ５１０）。
【００４３】
選択番号および要求コマンドを受信したカラープリンタ３０は、選択番号に基づいて、携帯電話１０の要求する印刷フォーマットをメモリ４７から読み出し、赤外線インターフェイス３７を介して、それを携帯電話１０に送信し（ステップＳ５４５）、処理を終了する。
【００４４】
要求した印刷フォーマットを受信した携帯電話１０は、その印刷フォーマットを液晶パネル１７に表示すると共に、そのデータと特定番号（選択番号）とをメモリ１４に記憶し（ステップＳ５１５）、このサブルーチンを終了する。
【００４５】
他方、ステップＳ５０５で、選択番号が携帯電話１０のメモリ１４内に存在する場合、つまり、選択した印刷フォーマットは以前に使用したものであり、メモリ１４に記憶してある場合には、その印刷フォーマットをメモリ１４から呼び出し、液晶パネル１７に表示して、このサブルーチンを終了する。
【００４６】
このサブルーチン処理で選択された印刷フォーマットの液晶パネル１７への表示の際には、先に選択された電話帳データが読み込まれる。つまり、印刷フォーマットを選択する処理の後、図４に戻り、携帯電話１０は、液晶パネル１７に電話帳データを印刷フォーマットに組み込んだ印刷イメージを表示する（ステップＳ４２０）。印刷イメージは、実施に印刷した場合の出力結果のイメージを表す画像であり、携帯電話１０は、カラープリンタ３０で実行される程度のドット展開を行なう。ここで携帯電話１０の液晶パネル１７に表示する印刷イメージは、こうして展開された画像データから所定間隔で間引きをした画像であり、携帯電話１０の液晶パネル１７に収まるサイズに縮小されている。
【００４７】
この縮小された印刷イメージの表示と共に、携帯電話１０は、印刷イメージの拡大を選択する選択肢を表示する。具体的には、図７（ｃ）に示すように、画面上に「全体」と「拡大」とを表示し、キーＡ，Ｂを介したユーザ操作により、表示画面を切り替える。例えば、ユーザがキーＢを操作、つまり、拡大表示を選択した場合には、図７（ｄ）に示すように、実際に印刷される名刺サイズの６等分の１の画面を表示する。ユーザは、方向キー２８，実行キー２９を操作して、確認したい部分を表示させ、例えば、印刷フォーマットの「氏名」を記載する枠からの文字のはみ出しが無いか否かを確認する。
【００４８】
ユーザが印刷イメージを確認し、図７（ｃ）に示した「ＯＫ」を選択すると、携帯電話１０は、修正の有無を選択する画面を表示する（ステップＳ４３０）。この選択画面は、図７（ｅ）に示すように、修正の「有」と「無」とを選択する画面である。ユーザがキーＡを操作することで修正「有」を選択すると、携帯電話１０は電話帳データの変更を行なうか否かの選択画面を表示する（ステップＳ４４０）。なお、この選択画面は、図７（ｅ）と同様であり、「データの修正？」を問う表示と共に、修正の「有」「無」の選択肢を表示する。
【００４９】
ユーザがデータの修正「有」を選択すると、携帯電話１０は、液晶パネル１７に文字入力画面を開き、ユーザの文字入力操作があるまで待機する。ユーザが文字入力、修正等を行ない、実行キー２９を操作すると、携帯電話１０は文字入力画面を閉じると共に、電話帳データを修正する（ステップＳ４５０）。携帯電話１０は修正された電話帳データに基づいて、再度、印刷イメージを表示するステップＳ４２０の処理に戻る。
【００５０】
例えば、印刷イメージから、名前の最後の文字が「氏名」の枠からはみ出すことが確認できた場合、ユーザは、データの修正「有」を選択し、文字入力画面上で「苗字」と「名前」の間のスペースを削除する。こうしたユーザのキー操作の結果、液晶パネル１７上には、「氏名」の枠内に文字が収まった印刷イメージが表示される。
【００５１】
他方、ステップＳ４４０にて、ユーザがキーＢを操作することでデータの修正「無」（つまり「Ｎｏ」）を選択すると、携帯電話１０は印刷フォーマットの変更を行なうか否かの選択画面を表示する（ステップＳ４６０）。この選択画面は、図７（ｅ）と同様であり、「印刷フォーマットの変更？」，「有」「無」を表示する画面である。ユーザがキーＡを操作することにより、印刷フォーマットの変更「有」を選択すると、ステップＳ４１０の印刷フォーマットの選択処理に戻る。
【００５２】
また、ステップＳ４６０にて、ユーザが印刷フォーマットの変更「無」（つまり「Ｎｏ」）を選択した場合、およびステップＳ４３０にて、ユーザがキーＢを操作して液晶パネル１７に表示された印刷イメージの修正「無」（つまり「Ｎｏ」）を選択した場合には、携帯電話１０は、表示された印刷イメージで印刷の実行を行なうか否かの選択をする選択画面を表示する（ステップＳ４７０）。この選択画面は、図７（ｅ）と同様、「印刷実行？」とその「有」「無」を表示する。
【００５３】
ユーザがキーＡを操作することにより、印刷実行「有」が選択されると、携帯電話１０は、印刷する電話帳データに印刷フォーマットの選択番号を付加する（ステップＳ４８０）。この印刷フォーマットの選択番号は、ステップＳ４１０にて選択した印刷フォーマットを特定する番号である。以下、この番号をデータのヘッダに記載した形の電話帳データを、電話帳情報と呼ぶ。
【００５４】
携帯電話１０は、この電話帳情報と印刷の実行コマンドとを赤外線インターフェイスを介して、カラープリンタ３０に送信し（ステップＳ４９０）、送信の完了と共に名刺作成処理を終了する。他方、ステップＳ４７０にて、ユーザがキーＢを操作することにより、印刷実行「無」が選択されると、携帯電話１０はそのまま名刺作成処理を終了する。
【００５５】
こうしてカラープリンタ３０に送信された電話帳情報は、カラープリンタ３０にて処理され、印刷される。以下、図６を用いて、カラープリンタ３０にて実行される名刺印刷処理を説明する。
【００５６】
カラープリンタ３０の制御回路４５は、電源投入後、ＲＡＭ内に設けた受信バッファのデータの有無を確認する（ステップＳ６００）。ステップＳ６００にて、受信バッファに受信データが無いと判断した場合には、所定のタイミングでこのステップを繰り返す。
【００５７】
制御回路４５は、受信バッファに受信データが有ると判断すると、そのデータの解析を行なう（ステップＳ６１０）。具体的には、データのヘッダから、印刷フォーマットの選択番号を読み取り、データの中身がｖＣａｒｄ形式の電話帳データであることを確認する。
【００５８】
制御回路４５は、受信した印刷フォーマットの選択番号に基づいて、メモリ４７から該当するｘＨＴＭＬ形式ファイルである印刷フォーマットを読み込み、受信した電話帳データと共に、そのファイルを画像処理回路４６へ出力する。
【００５９】
電話帳データであるｖＣａｒｄ形式のデータと印刷フォーマットのｘＨＴＭＬ形式のファイルとを受け取った画像処理回路４６は、その印刷フォーマットに電話帳データを組み込んだ形のｘＨＴＭＬ形式のファイルを生成する（ステップＳ６２０）。画像処理回路４６は、生成したｘＨＴＭＬ形式のファイルを解析し、カラープリンタ３０にて認識可能なデータに変換する（ステップＳ６３０）。
【００６０】
続いて、画像処理回路４６は、操作パネル３８を介して設定された用紙サイズ，印刷枚数，印刷位置などの印刷条件を読み込み（ステップＳ６４０）、印刷イメージを作成する（ステップＳ６５０）。この印刷イメージの作成処理は、印刷条件の設定値に基づいて、変換したデータを印刷可能なドットパターンに展開し、印刷実行データを作成する処理である。具体的には、ラスタライズ、色補正、ハーフトニング等の処理を行ない印字ヘッド３１によって印刷すべきドットに展開し、印字ヘッド３１に加える電圧や、インクの色の組み合わせ等を決定している。
【００６１】
こうして決定された所定の条件は、制御回路４５に出力される。制御回路４５は、この所定の条件に従って、印字ヘッド３１を装着したキャリッジ３２，キャリッジモータ３３，紙送りモータ３４などの各種アクチュエータを制御し、目的のデータの印刷を実行する（ステップＳ６６０）。その結果、用紙上に所望の名刺が形成され、名刺印刷処理は終了する。
【００６２】
以上説明した名刺作成処理，名刺印刷処理によれば、携帯電話１０にて作成した名刺データを送信する前に、携帯電話１０の液晶パネル１７にて、実際に印刷される印刷イメージを確認することができる。確認した結果、例えば、意図しない印刷フォーマットを指定していたり、所定の枠から文字がはみ出していた場合には、印刷フォーマットを変更し、文字間隔を調整する修正処理を行なうことができる。したがって、カラープリンタ３０からの出力結果は、ユーザが意図したものとなり、無駄な印刷をすることがない。
【００６３】
この一連の処理では、印刷フォーマットはカラープリンタ３０に記憶されたものを使用し、携帯電話１０側で、カラープリンタ３０の保有する印刷フォーマットから一を選択する。したがって、携帯電話１０からカラープリンタ３０に送信されるデータには、印刷フォーマット自体のデータは含まれず、送信データの容量を低減することができる。
【００６４】
なお、本実施例では、携帯電話１０からカラープリンタ３０へ送信するデータには、印刷フォーマットを特定するための選択番号が含まれているが、例えばカラープリンタ３０から携帯電話１０へ、最後に送信した印刷フォーマットを使用するものとし、選択番号は送信しないものとしても良い。この場合、携帯電話１０は、名刺の作成、表示に用いる印刷フォーマットを、常に、カラープリンタ３０から受信するものとし、カラープリンタ３０は、最後に携帯電話１０に送信した印刷フォーマットを記憶するように構成すれば良い。
【００６５】
また、カラープリンタ３０に記憶される印刷フォーマットは、携帯電話１０を介して、Ｗｅｂサーバから取得するものとしても良い。この場合、携帯電話１０は、所定のＷｅｂサーバから名刺作成用の印刷フォーマットをダウンロードし、そのデータをカラープリンタ３０に赤外線通信を用いて送信する。カラープリン３０は、新たな印刷フォーマットを受信し、そのデータをメモリ４７に保存する。また、こうした印刷フォーマットは、カラープリンタ３０に装着されたメモリカードに予め記憶しておき、メモリーカードから所望する印刷フォーマットを読み込むものとしても良い。
【００６６】
以上、本発明の実施の形態について説明したが、本発明はこうした実施の形態に何ら限定されるものではなく、本発明の趣旨を逸脱しない範囲内において様々な形態で実施し得ることはもちろんである。本実施例では、携帯電話にて作成した名刺データは、カラープリンタへ送信し、用紙に出力するものとしたが、例えば、カラープリンタに装着されたメモリーカードなどに記憶するものとしても良い。また、近距離無線通信は赤外線通信に限らず、例えば、Bluetooth（登録商標）を利用しても同様の効果を奏する。
【符号の説明】
【００６７】
１０...携帯電話    １１...アンテナ    １２...無線回路    １３...マイク    １４，４７...メモリ    １５...キー入力部    １６...スピーカ    １７...液晶パネル    １８...カメラ    １９...赤外線インターフェイス    ２０...制御部    ２１，５２...ＣＰＵ    ２２，５３...ＲＯＭ    ２３，５４...ＲＡＭ    ２６...オンフックキー    ２７...テンキー    ２８...方向キー    ２９...実行キー    ３０...カラープリンタ    ３１...印字ヘッド    ３２...キャリッジ    ３３...キャリッジモータ    ３４...紙送りモータ    ３５...カードスロット    ３６...ＵＳＢ端子    ３７...赤外線インターフェイス    ３８...操作パネル    ４０...インクカートリッジ    ４５...制御回路    ４６...画像処理回路。
【図１】
2010061687.tif 000003
【図２】
2010061687.tif 000004
【図３】
2010061687.tif 000005
【図４】
2010061687.tif 000006
【図５】
2010061687.tif 000007
【図６】
2010061687.tif 000008
【図７】
2010061687.tif 000009
【手続補正書】
【提出日】平成21年12月25日(2009.12.25)
【手続補正２】
【補正対象書類名】特許請求の範囲
【補正対象項目名】全文
【補正方法】変更
【補正の内容】
【特許請求の範囲】
【請求項１】
携帯電話から送信されるデータを所定の印刷フォーマットに従って印刷する印刷装置であって、
前記携帯電話と通信する無線通信手段と、
前記印刷フォーマットを記憶する記憶手段と、
前記携帯電話からの要求に応じて、前記記憶手段に記憶された前記印刷フォーマットの一覧情報を前記無線通信手段を用いて前記携帯電話に送信するフォーマット一覧管理手段と、
前記携帯電話からの要求に基づいて、前記記憶手段から該当する１つの印刷フォーマットを読み出し、該印刷フォーマットを前記無線通信手段を用いて前記携帯電話に送信するフォーマット管理手段と、
前記携帯電話で確定された前記印刷フォーマットに該携帯電話から送信された前記データを組み込んで印刷用のデータを作成する印刷データ作成手段と、
前記印刷データを印刷可能に展開して印刷を実行する印刷制御手段と、
を備えた印刷装置。
【請求項２】
請求項１に記載の印刷装置であって、
前記印刷フォーマットは、ｘHTML形式のマークアップ言語で記述された書式である印刷装置。
【請求項３】
請求項２に記載の印刷装置であって、
前記印刷データ作成手段は、前記ｘHTML形式のマークアップ言語で記述された印刷フォーマットに、前記携帯電話から送信される標準化された電話帳データ、住所録データ、メモデータ、メッセージデータのいずれかの形式のデータを組み込んで、印刷用のデータを生成する手段である印刷装置。